(57)【特許請求の範囲】
【請求項１】
甲側シートと、掌側シートと、まちシートと、を縫合して手袋を製造する方法であって、
前記掌側シートは、
掌部と、指部を形成する掌側指形成部と、を備えており、
該手袋における指部において、前記甲側シートと前記掌側シートの掌側指形成部、および、前記まちシートと前記甲側シートまたは前記掌側シートの掌側指形成部を連結する指縫合部が形成されており、
該指縫合部は、
指部の基端部において掌側に形成された、前記掌側シートの掌側指形成部と前記まちシートを縫合する基端縫合部と、
指部の先端部において甲側に形成された、前記掌側シートの掌側指形成部と前記甲側シートを縫合する先端縫合部と、
指部の中間部において、前記基端縫合部の先端と前記先端縫合部の基端を繋ぐように形成された、前記掌側シートの掌側指形成部と前記まちシートを縫合する中間縫合部と、を備えており、
前記先端縫合部の基端は、
前記基端縫合部の先端よりも指先側に配置されており、
前記掌側シートの掌側指形成部は、
先端部に基端部よりも幅の広い幅広部を備えており、
該幅広部は、
該掌側シートを前記甲側シートおよび前記まちシートと連結した際に、指部の腹と両側面と形成するものであり、
隣接する掌側指形成部では、長尺な掌側指形成部における幅広部と基端部とを繋ぐ側端縁と短尺な掌側指形成部の幅広部の先端縁は、対応する部分の曲率が同じ曲率に形成されている
ことを特徴とする手袋の製造方法。
【請求項２】
前記幅広部と基端部の間を繋ぐ側端縁は、内方に凹む曲線となっている
ことを特徴とする請求項１記載の手袋の製造方法。
【請求項３】
前記縫合部は、
前記基端縫合部から前記中間縫合部までがほぼ直線状となるように形成されている
ことを特徴とする請求項１または２記載の手袋の製造方法。
【請求項４】
製造される手袋が、登山および／または自転車の運転時に着用するものである
ことを特徴とする請求項１、２または３記載の手袋の製造方法。
【発明の詳細な説明】
【技術分野】
【０００１】
本発明は、手袋に関する。さらに詳しくは、自転車や登山、トレッキングなどを行う際に、防寒および手の保護のために使用される手袋に関する。
【背景技術】
【０００２】
日常生活において、手袋は、防寒の目的や作業の際の手の保護のために着用される。また、日常生活以外でも、自転車や登山、トレッキングなどのアウトドアスポーツを行う場合にも、同様の目的で手袋は着用される。このような手袋は、ゴム製の手袋や軍手などを除けば、天然皮革、合成（人工）皮革、ニット生地、ラバー生地等のシートからなる複数のパーツを縫製することによって、所定の形状に形成されている。このため、手袋には縫製した縫い目が存在しており、この縫い目によって手袋の着用感や使用感が影響を受ける。とくに、指の部分の縫い目は、物を掴んだりする際の使用感に影響を与えるため、種々の工夫が施されている。
【０００３】
特許文献１では、指先に縫い目が形成されないように縫製を工夫したものが開示されている。特許文献２では、親指の第一関節よりも先端側には縫い目が形成されないような構造としたものが開示されている。また、特許文献３では、指の甲側の関節の位置に縫い目が無い構造としたものが開示されている。
【先行技術文献】
【特許文献】
【０００４】
【特許文献１】特開２００６−７０３８７号
【特許文献２】特開２０１３−１５５４４４号
【特許文献３】実用新案登録第３１５５８２３号
【特許文献４】特開２００３−３４２８１３号
【発明の概要】
【発明が解決しようとする課題】
【０００５】
ところで、指の動きや物を掴んだ際の違和感には、指の側面が受ける感覚も影響する。しかるに、特許文献１〜３の技術は、指の腹または甲側の部分に縫い目が存在することに起因する違和感をなくすものであり、指の側面に位置する縫い目の影響を考慮したものではない。このため、指の股の部分から指先まで指の側面には縫い目があり、この縫い目による違和感を解消することはできない。
【０００６】
一方、特許文献４には、指の側面に軟質の素材を設けることによって指の動きやすさを向上させた手袋が開示されている。しかし、特許文献４の手袋でも、指の股の部分から指先まで指の側面には縫い目があり、特許文献１〜３の技術と同様に、この縫合部による違和感を解消することはできない。
【０００７】
本発明は上記事情に鑑み、縫い目による違和感が少なく機能性が高い手袋を提供することを目的とする。
【課題を解決するための手段】
【０００８】
第１発明の手袋の製造方法は、甲側シートと、掌側シートと、まちシートと、を縫合して手袋を製造する方法であって、前記掌側シートは、掌部と、指部を形成する掌側指形成部と、を備えており、該手袋における指部において、前記甲側シートと前記掌側シートの掌側指形成部、および、前記まちシートと前記甲側シートまたは前記掌側シートの掌側指形成部を連結する指縫合部が形成されており、該指縫合部は、指部の基端部において掌側に形成された、前記掌側シートの掌側指形成部と前記まちシートを縫合する基端縫合部と、指部の先端部において甲側に形成された、前記掌側シートの掌側指形成部と前記甲側シートを縫合する先端縫合部と、指部の中間部において、前記基端縫合部の先端と前記先端縫合部の基端を繋ぐように形成された、前記掌側シートの掌側指形成部と前記まちシートを縫合する中間縫合部と、を備えており、前記先端縫合部の基端は、前記基端縫合部の先端よりも指先側に配置されており、前記掌側シートの掌側指形成部は、先端部に基端部よりも幅の広い幅広部を備えており、該幅広部は、該掌側シートを前記甲側シートおよび前記まちシートと連結した際に、指部の腹と両側面と形成するものであり、隣接する掌側指形成部では、長尺な掌側指形成部における幅広部と基端部とを繋ぐ側端縁と短尺な掌側指形成部の幅広部の先端縁は、対応する部分の曲率が同じ曲率に形成されていることを特徴とする。
第２発明の手袋の製造方法は、第１発明において、前記幅広部と基端部の間を繋ぐ側端縁は、内方に凹む曲線となっていることを特徴とする。
第３発明の手袋の製造方法は、第１または第２発明において、前記縫合部は、前記基端縫合部から前記中間縫合部までがほぼ直線状となるように形成されていることを特徴とする。
第４発明の手袋の製造方法は、第１、第２または第３発明において、登山および／または自転車の運転時に着用するものであることを特徴とする。
【発明の効果】
【０００９】
第１または第２発明によれば、製造された手袋は、掌側シートの掌部と指部との境界および指部の先端部では側面に縫い目がないので、製造された手袋を着用した状態でも、違和感なく物を掴むことができる。つまり、機能性の高い手袋を製造することができる。しかも、指部の基端側から中間部まではまちシートがあるので、指部の形状を維持でき、指を動かしやすくなる。また、指部の先端部において、指部の腹から側面までの表面を滑らかにできるので、物を掴んだ時に、従来の手袋に比べて、より素手に近い感覚とすることができる。しかも、パーツを取るシートにおいて廃棄する部分を少なくすることができる。
第３発明によれば、縫合部に指部を若干掌側に曲げた状態維持する機能を発揮させることができるので、製造された手袋を着用した状態でも手を楽な状態（少し指が曲がった状態）に維持しやすくなり、製造された手袋の着用感がより向上する。また、製造された手袋を着用した状態で物を掴む場合などにおいて、指などを動かしやすくなるので、製造された手袋の機能性をさらに高くすることができる。
第４発明によれば、物を持ったときの感覚を、従来の手袋に比べて、より素手に近づけることができるので、登山での活動性や自転車の運転時の操作性を向上させることができる。
【図面の簡単な説明】
【００１０】
【図１】本実施形態の手袋１の概略正面図である。
【図２】本実施形態の手袋１の概略右側面図である。
【図３】本実施形態の手袋１の概略左側面図である。
【図４】指部２を開いた状態の概略説明図である。
【図５】指部５の概略拡大側面図である。
【図６】指部４と指部５を甲側から見た概略拡大図である。
【図７】甲側シート１２の概略説明図である。
【図８】掌側シート１３の概略説明図である。
【図９】縫合片８、９およびまちシート１４の概略説明図である。
【発明を実施するための形態】
【００１１】
本発明の手袋は、種々の作業やアウトドアスポーツなどを行う際に着用されるものであり、着用した状態における機能性を高めるような構造としたことに特徴を有している。
【００１２】
本発明の手袋は、例えば、自転車を運転する際に使用される手袋や、登山に使用される手袋、トレッキングに使用される手袋であるが、その使用目的はとくに限定されない。
【００１３】
また、本発明の手袋に使用される生地はとくに限定されない。例えば、天然皮革や合成（人工）皮革、ニット生地、ラバー生地などの生地を使用することができる。
【００１４】
なお、本発明の手袋は、後述する全てのパーツが同じ生地であってもよいし、パーツによって生地を変更してもよい。全て同じ生地で形成すれば、生産効率を高くできる点で好ましい。また、異なる生地で形成した場合には、指や手の動きに合った適切な生地を適切な位置に配置することができる点で好ましい。
【００１５】
（本実施形態の手袋１）
図１〜図４に示すように、本実施形態の手袋１は、甲側シート１２と、掌側シート１３と、まちシート１４と、を縫合して形成されたものである。
【００１６】
本実施形態の手袋１では、甲側シート１２および掌側シート１３がいずれも指を入れる指部２〜６を形成する甲側指形成部１２ａ〜１２ｅおよび掌側指形成部１３ａ〜１３ｅを有している。そして、甲側指形成部１２ａ〜１２ｅと掌側指形成部１３ａ〜１３ｅを、直接またはまちシート１４ａ〜１４ｄを介して、連結することによって、指部２〜６を形成している。
【００１７】
甲側指形成部１２ａ〜１２ｅと掌側指形成部１３ａ〜１３ｅ、および、甲側指形成部１２ａ〜１２ｅとまちシート１４ａ〜１４ｄは、いずれも縫合によって連結されている。このため、この連結部分には、縫い目（指縫合部７）が形成されている。
【００１８】
そして、本実施形態の手袋１では、指部２〜６の先端部（人が手袋を着用したときに第一関節よりも先端側）の側面に、指縫合部７が形成されないように、甲側シート１２、掌側シート１３、まちシート１４が縫合されている（図５参照）。
【００１９】
このように、指部２〜６の先端部の側目に縫い目がなければ、人が本実施形態の手袋１を着用した状態でも、違和感なく物を掴むことができる。つまり、本実施形態の手袋１の機能性を高めることができる。
【００２０】
なお、「指部２〜６の先端部の側目に縫い目がない」とは、手袋１を着用したときに、全く指の側面に縫い目が当たらない場合だけでなく、指の甲側に非常に近い部分（つまり指の腹と甲の中間よりも甲側に大きく偏った部分（図５（Ａ）参照））に縫い目がある場合も含む概念である。
【００２１】
（指縫合部７の説明）
以下、本実施形態の手袋１における指部２〜６の指縫合部７について、詳細に説明する。なお、指縫合部７は、どの指部２〜６でも実質的に同じ構造を有するので、以下では、代表として、薬指が挿入される指部５に形成される指縫合部７を代表として説明する。
【００２２】
図５および図６に示すように、指部５に形成される指縫合部７（以下、単に指縫合部７という）は、基端縫合部７ａと、先端縫合部７ｂと、中間縫合部７ｃとを有している。
【００２３】
まず、基端縫合部７ａは、掌側シート１３の掌側指形成部１３ｄの基端部と、指部４と指部５の間に配置されるまちシート１４ｃを縫合した縫い目である。この基端縫合部７ａは、指部４の基端部において掌側に形成されている。この基端縫合部７ａは、指部４に中指を入れたときに、中指の第二関節の位置近傍まで延びており、ほぼ指部４の腹側に沿って形成されている。
【００２４】
一方、先端縫合部７ｂは、掌側シート１３の掌側指形成部１３ｄの先端部と、甲側シート１２の甲側指形成部１２ｄの先端部を縫合した縫い目である。この先端縫合部７ｂは、指部４の先端部において甲側に形成されている。この先端縫合部７ｂは、指部５に薬指を入れたときに、薬指の先端と第一関節近傍の間（または薬指の先端と第一関節近傍）まで形成されており、ほぼ指部５の甲側に沿って形成されている。つまり、先端縫合部７ｂの基端（指の付け根側の端部）は、基端縫合部７ａの先端（指先側の端部）よりも指先側に位置するように設けられている。
【００２５】
そして、中間縫合部７ｃは、掌側シート１３の掌側指形成部１３ｄの中間部と、指部４と指部５の間に配置されるまちシート１４ｃの先端部を縫合した縫い目である。この中間縫合部７ｃは、基端縫合部７ａの先端と先端縫合部７ｂの基端との間を繋ぐように形成されている。上述したように、先端縫合部７ｂの基端は基端縫合部７ａの先端よりも指先側に位置しており、先端縫合部７ｂは甲側に、また、基端縫合部７ａは掌側に、それぞれ形成されている。このため、中間縫合部７ｄは、指部５の中間部の側面を斜め横切るように形成される。より具体的にいえば、中間縫合部７ｄは、指部５の基端から先端に向かうにしたがって、指部５の腹からの距離が離れるように形成される。
【００２６】
以上のように、縫合部７が形成されていれば、指部２〜６の先端部では、その側面に縫い目がないので、手袋１を着用した状態でも、違和感なく物を掴むことができる。つまり、手袋１の機能性を高めることができる。しかも、縫合部７によって（とくに中間縫合部７ｃによって）指部２〜６の側面に、特徴的なデザインが形成されるので、手袋１の外観を特徴的なものとすることができる。
【００２７】
なお、本実施形態の手袋１において、甲側シート１２の甲側指形成部１２ａ〜１２ｅを掌側シート１３の掌側指形成部１３ａ〜１３ｅよりも若干長くするなどして、指部２〜６が若干掌側に曲がった状態となるようにしてもよい（図５（Ｂ）参照）。手袋１をこのような形状とした場合には、上記のごとき縫合部７は、基端縫合部７ａから中間縫合部７ｃまでがほぼ直線状に形成される。この場合、基端縫合部７ａから中間縫合部７ｃまでの部分がある程度の強度を有するので、縫合部７に指部２〜６を若干掌側に曲げた状態維持する機能を発揮させることができる。すると、手袋１を上記のごとき形状に維持しやすくなる。したがって、手袋１を着用した状態でも手を楽な状態（少し指が曲がった状態）に維持しやすくなるので、手袋１の着用感がより向上する。また、手袋１を着用した状態で物を掴む場合などにおいて、指などを動かしやすくなるので、手袋１の機能性をさらに高くすることができる。
【００２８】
なお、人指し指が挿入される指部３と親指が挿入される指部２との間に配置されるまちシート１４ａは、他のまちシート１４ｂ〜ｄとは形状が異なる。しかし、まちシート１４ａは、指部２および指部３の側面では縫合部７ａが上述した状態となるように形成されている。したがって、まちシート１４ａを指部２と指部３の間に配置すれば、他のまちシート１４ｂ〜ｄと同様の機能を有する。
【００２９】
また、親指が挿入される指部２は、掌側指形成部１３ａが掌側シート１３から分離したパーツとして形成され、縫合時に掌側シート１３に連結される。この指部２の外側面（指部３と反対側の面）も、指部３〜５の外側面とほぼ同様の縫合部７が形成されるように、縫合片８が配置される。
【００３０】
さらに、小指が挿入される指部６では、その外側面（指部５と反対側の面）も、指部３〜５と同様の縫合部７が形成されるように、甲側指形成部１２ｅと掌側指形成部１３ｅの間に縫合片９が配置される。
【００３１】
（まちシート１４の要否）
なお、指縫合部７が上記のような位置に形成できるのであれば、必ずしもまちシート１４は設けなくてもよい。例えば、まちシート１４ａ〜ｄに相当する部分を甲側シート１２の甲側指形成部１２ａ〜１２ｅと一体に形成してもよい。この場合、縫合個所を少なくできるという点では好ましい。しかし、まちシート１４を別体で設けておき、甲側シート１２および掌側シート１３と縫合するようにすれば、一枚のまちシート１４によって隣接する指の側面と隣接する指間の股の部分を形成することができる。すると、指部２〜６の形状を維持しやすくなるし、縫合箇所が少なくなり指を動かすときに指に加わるストレスが少なくなるので、指を自然に近い形で動かすことができる。
【００３２】
（各パーツの形状について）
上述したような本実施形態の手袋１は、以下のようなパーツを形成して、これらのパーツを縫合して製造することができる。以下、パーツの形状を簡単に説明するが、指部２〜６を形成する部分以外は、一般的な手袋において各パーツと対応する部分と同等の形状を採用することができる。したがって、一般的な手袋のパーツと実質的に同等の形状を有する部分については、適宜説明を割愛する。
【００３３】
（甲側シート１２）
図７に示すように、甲側シート１２は、手の甲部１２ｘとその甲部１２ｘの先端部ｘ１（指先側の部分）から連続する甲側指形成部１２ｂ〜１２ｅを備えている。この甲側指形成部１２ｂ〜１２ｅは、指部３〜６の甲側を構成するものであり、先端が丸くなった帯状に形成されている。この甲側指形成部１２ｂ〜１２ｅは、基端から先端までほぼ同じ幅となるように形成されている。
【００３４】
また、甲側シート１２は、甲部１２ｘの基端部ｘ２（手首側の部分）から連続する甲側指形成部１２ａを備えている。この甲側指形成部１２ａは、指部２の甲側を構成するものであり、先端が丸くなった帯状に形成されている。この甲側指形成部１２ａも、基端から先端までほぼ同じ幅となるように形成されている。
【００３５】
（掌側シート１３）
図８に示すように、掌側シート１３は、手の掌部１３ｘとその掌部１３ｘの先端部から連続する掌側指形成部１３ｂ〜１３ｅを備えている。この掌側指形成部１３ｂ〜１３ｅは、その先端に基端よりも幅が広い幅広部Ｗを備えている。そして、掌側指形成部１３ｂ〜１３ｅは、幅広部Ｗの先端側は略弧状に形成されているが、幅広部Ｗの基端側と掌部１３ｘとの間では、その側端縁ｓが若干内方に凹むような曲線となるように形成されている。かかる形状となっているので、幅広部Ｗによって、指部３〜６の指先の腹と両側面を形成することができる。すると、指の腹から側面までが連続したシートで形成されるので、その表面を滑らかにできる。したがって、物を掴んだ時に、従来の手袋に比べて、より素手に近い感覚とすることができる。
【００３６】
また、掌側シート１３の掌部１３ｘは、掌側指形成部１３ａが別体に形成されている。この掌側指形成部１３ａは、指部ｆと母指球部ｔとを有しており、掌部１３ｘには、掌側指形成部１３ａの母指球部ｔが配置される切り込みｇが形成されている。
【００３７】
（縫合片８、９）
図８に示すように、縫合片８、９は、両端部がその先端に向かって細くなるように形成された略帯状のシートである。この縫合片８、９は、その両端間の中央部に対して完全な対称形ではなく、配置される部分に応じて若干形状が異なるように形成されている。
【００３８】
（まちシート１４）
図９に示すように、まちシート１４ａは、両端部がその先端に向かって細くなるように形成された略帯状のシートである。このまちシート１４ａの両端間の中央部には、若干膨らんだ部分Ｄが形成されている。この膨らんだ部分Ｄは、親指と人差し指の間の領域を埋めるために設けられている。この膨らんだ部分Ｄが形成されているので、手袋１を着用した人が人差し指と親指の間を開閉させる際に、スムースに指を動かすことができる。
【００３９】
また、図９に示すように、まちシート１４ｂ〜１４ｄは、略Ｖ字状に形成されたシートである。このまちシート１４ｂ〜１４ｄは、両端部がその先端に向かって細くなるように形成されている。各まちシート１４ｂ〜１４ｄは、いずれも略Ｖ字状になっているが、その角度は配置される部分に応じて異なっている。例えば、小指と薬指の間に配置されるまちシート１４ｄは、他のまちシート１４ｂ，１４ｃよりも開きが狭いＶ字状に形成されている。これは、小指と薬指は閉じている方が自然であり、まちシート１４ｄが狭いＶ字状に形成されていれば、手袋１を着用した人が、自然に小指と薬指を閉じた状態に維持できるからである。なお、図９において、点線で示された部分は、手袋１になったときに、ほぼ指の股の中間に位置する部分になる。
【００４０】
以上のような形状に甲側シート１２や掌側シート１３、まちシート１４を形成すれば、これらのパーツから製造される本実施形態の手袋１をすっきりとした形状に形成でき、手袋１の着用感も向上することができる。
【００４１】
しかし、各パーツを縫合した際に、手袋１の各指部２〜６の縫合部７を上述したようなように形成できるのであれば、甲側シート１２や掌側シート１３、まちシート１４の形状は上記のごとき形状に限られない。
【００４２】
（甲側シート１２について）
図７では、甲部１２ｘの先端部ｘ１と基端部ｘ２が別体に形成されているが、先端部ｘ１と基端部ｘ２は一体となっていてもよい。
さらに、基端部ｘ２も２つのパーツから形成されているが、もちろん基端部ｘ２も一つのパーツで形成されていてもよいし、複数のパーツから形成されてもよい。
【００４３】
（掌側シート１３について）
掌側シート１３において、掌側指形成部１３ｂ〜１３ｅの側端縁ｓと幅広部Ｗの先端縁の曲率はとくに限定されない。しかし、掌側指形成部１３ｂ〜１３ｅの側端縁ｓと幅広部Ｗの先端縁が同じ曲率に形成されていれば、パーツを取るシートにおいて廃棄する部分を少なくすることができる。
【００４４】
また、掌側指形成部１３ａは掌部１３ｘと一体に形成されていてもよい。しかし、上述したように、両者を別体で形成して縫合するようにすれば、親指を動かしやすくなるという利点が得られる。
【００４５】
（各パーツの大きさについて）
甲側シート１２や掌側シート１３、まちシート１４の大きさは、手袋１の大きさ等に合わせて適宜調整すればよい。例えば、甲側シート１２において、甲部１２ｘの幅や長さ、また、甲側指形成部１２ａ〜１２ｅの幅や長さは、手袋１の大きさ等に合わせて適宜調整すればよい。また、掌側シート１３において、掌部１３ｘの幅や長さ、掌側指形成部１３ａ〜１３ｅの幅や長さ、幅広部Ｗの幅や長さ等は、手袋１の大きさ等に合わせて適宜調整すればよい。さらに、まちシート１４において、その幅や長さ等は、手袋１の大きさ等に合わせて適宜調整すればよい。
【産業上の利用可能性】
【００４６】
本発明の手袋は、自転車のスポーツライド、アウトドア、トレッキングなどのように、モノを掴むことが必要とされる競技やスポーツ等に使用される手袋に適している。
【符号の説明】
【００４７】
１            手袋
２〜６        指部
７            縫合部
７ａ          基端側縫合部
７ｂ          先端側縫合部
７ｃ          中間縫合部
１２            甲側シート
１２ａ〜ｅ      甲側指形成部
１３            掌側シート
１３ａ〜ｅ      掌側指形成部
１４ａ〜ｄ      まちシート
【要約】
【課題】縫い目による違和感が少なく機能性が高い手袋を提供する。
【解決手段】甲側シート１２と、掌側シート１３と、まちシート１４と、を縫合して形成された手袋１であって、手袋１における指の部分において、甲側シート１２と掌側シート１３、および、まちシート１４と甲側シート１２または掌側シート１３を連結する指縫合部７が形成されており、指縫合部７は、指の基端部において掌側に形成された、掌側シート１２とまちシート１４を縫合する基端縫合部７ａと、指の先端部において甲側に形成された、掌側シート１３と甲側シート１２を縫合する先端縫合部７ｂと、指の中間部において、基端縫合部７ａの先端と先端縫合部７ｂの基端を繋ぐように形成された、掌側シート１３とまちシート１４を縫合する中間縫合部７ｃと、を備えており、先端縫合部７ｂの基端は、基端縫合部の先端７ｂよりも指先側に配置されている。
【選択図】図１【図１】
0005846564.tif 000002
【図２】
0005846564.tif 000003
【図３】
0005846564.tif 000004
【図４】
0005846564.tif 000005
【図５】
0005846564.tif 000006
【図６】
0005846564.tif 000007
【図７】
0005846564.tif 000008
【図８】
0005846564.tif 000009
【図９】
0005846564.tif 000010